【手続補正書】
【提出日】平成16年8月3日(2004.8.3)
【手続補正１】
【補正対象書類名】特許請求の範囲
【補正対象項目名】全文
【補正方法】変更
【補正の内容】
【特許請求の範囲】
【請求項１】
一体のはめ込み窓ガラス取り付け構成を有する多重窓ガラスユニットサッシ組立体のための構成要素であって，
前記取り付け構成が，ふたつの内側側壁部および内側底壁部を有する内側チャネルを含み，前記内側側壁部がそれぞれ頂端部を有し，
前記構成要素が，
ふたつの内側側壁部
内側底壁部，
前記内側側壁部の頂端部
のうちの少なくともひとつに適用される，少なくともひとつの乾燥材料または蒸気遮断材料からなる，ところの構成要素。
【請求項２】
前記材料は，前記側壁部および底壁部へと押し出し成形されるものである，請求項１に記載の構成要素。
【請求項３】
前記材料は，前記側壁部および底壁部へと吹きつけされる，請求項１に記載の構成要素。
【請求項４】
前記材料が前記頂端部にも適用される，請求項１ないし３のいずれかに記載の構成要素。
【請求項５】
前記材料が乾燥および蒸気遮断の両方の特性をもつ，請求項１ないし４のいずれかに記載の構成要素。
【請求項６】
前記材料が，テープ，発泡体，接着剤，シーラント材，樹脂，金属またはプラスチック材の少なくともひとつからなる，請求項１ないし５のいずれかに記載の構成要素。
【請求項７】
前記材料が，内側側壁部の一方の頂端部から前記底壁部へ，前記底壁部にわたって伸び，内側側壁部の他方の頂端部へと続く，請求項６に記載の構成要素。
【請求項８】
前記材料が前記頂端部を覆う，請求項７に記載の構成要素。
【請求項９】
前記材料は，前記頂端部を通り，前記取り付け構成の外側面へと続く，請求項８に記載の構成要素。
【請求項１０】
前記材料が前記内側チャネルに嵌合する，請求項１ないし９のいずれかに記載の構成要素。
【請求項１１】
前記取り付け構成が，少なくともひとつのはめ込み窓ガラスを受け入れ，
前記材料が，少なくともひとつの他のはめ込み窓ガラスを受け入れるための，伸長した突出部を有する，
請求項６ないし１０のいずれかに記載の構成要素。
【請求項１２】
前記取り付け構成が，ふたつのはめ込み窓ガラスを受け入れるようになり，前記突出部が少なくとも第三のはめ込み窓ガラスを受け入れるようになっている，請求項１１に記載の構成要素。
【請求項１３】
当該構成要素は，少なくともひとつのスナップ留めまたは圧入により前記取り付け構成に取り付けられる，請求項１ないし１２のいずれかに記載の構成要素。
【請求項１４】
多重窓ガラスユニットサッシ組立体用の構成要素であって，
前記サッシ組立体に取り付けるためのスペーサを有し，
該スペーサは，
少なくともふたつのはめ込み窓ガラスのための取り付け表面と，
該取り付け表面の間に，少なくともひとつの保持要素と
を含む，ところの構成要素。
【請求項１５】
前記少なくともひとつの保持要素が，少なくともひとつの組子バーまたは他のはめ込み窓ガラスを保持するための，前記スペーサにある少なくともひとつの溝を含む，請求項１４に記載の構成要素。
【請求項１６】
前記少なくともひとつの溝が組子バー用の保持要素を収容する，請求項１５に記載の構成要素。
【請求項１７】
実質的に平行なふたつの溝が，前記保持要素を収容するために，前記スペーサに設けられる，請求項１６に記載の構成要素。
【請求項１８】
前記保持要素が前記少なくともひとつの溝にスナップ留めするクリップを有する，請求項１６または請求項１７に記載の構成要素。
【請求項１９】
前記少なくともひとつの溝が，組子バーの端部または他のはめ込み窓ガラスの縁部を受け入れる，請求項１５に記載の構成要素。
【請求項２０】
前記スペーサが，前記サッシ組立体に接着される，予め形成されたテープ，発泡体，接着剤，シーラント材，樹脂，金属またはプラスチック材の少なくともひとつを含む，請求項１４ないし１９のいずれかに記載の構成要素。
【請求項２１】
前記スペーサから伸長するフランジ上に，前記取り付け表面が形成され，
前記サッシ組立体と各フランジが間に，少なくともひとつのシーラント材または接着剤を収容するチャネルをそれぞれ画成する，請求項１４ないし２０のいずれに記載の構成要素。
【請求項２２】
前記少なくともひとつのシーラント材または接着剤が前記はめ込み窓ガラスを前記スペーサに対して適所に接着する，請求項２１に記載の構成要素。
【請求項２３】
前記少なくともひとつのシーラント材または接着剤が前記チャネルを実質的に充填する，請求項２２に記載の構成要素。
【請求項２４】
前記スペーサが少なくともひとつのスナップ留めまたは圧入により前記サッシ組立体に取り付けられる，請求項１４ないし２３のいずれかに記載の構成要素。
【請求項２５】
多重窓ガラスユニットサッシ組立体用の構成要素であって，
前記サッシ組立体に取り付けるためのスペーサを有し，
前記スペーサは，少なくともふたつのはめ込み窓ガラスのための取り付け表面を有し，
前記取り付け表面は，前記スペーサから伸長するフランジ上に形成され，
前記フランジと前記サッシ組立体は間に，少なくともひとつのシーラント材または接着剤を収容するチャネルを画成する，
ところの構成要素。
【請求項２６】
前記少なくともひとつのシーラント材または接着剤が前記はめ込み窓ガラスを前記スペーサに対して適所に接着する，請求項２５に記載の構成要素。
【請求項２７】
前記フランジの縁が前記はめ込み窓ガラスに対する第一のシールを形成し，前記少なくともひとつのシーラント材または接着剤が前記はめ込み窓ガラスに対する第二のシールを形成する，請求項２５または請求項２６に記載の構成要素。
【請求項２８】
前記スペーサが，テープ，発泡体，接着剤，シーラント材，樹脂，金属またはプラスチック材の少なくともひとつを含む，請求項２５ないし２７のいずれかに記載の構成要素。
【請求項２９】
前記スペーサが前もって形成される，請求項２５ないし２８のいずれかに記載の構成要素。
【請求項３０】
前記スペーサが前記サッシ組立体にスナップ留めされる，請求項２５ないし２９のいずれかに記載の構成要素。
【請求項３１】
一体のはめ込み窓ガラス取り付け構成を有する多重窓ガラスユニットサッシ組立体のための構成要素であって，
前記取り付け構成が少なくともふたつの上向き壁部を有し，各壁部は各横頂部壁部分に連結され，
前記構成要素が，ふたつの上向き壁部と頂部部分に適用される，少なくともひとつの乾燥または蒸気遮断材料からなる，ところの構成要素。
【請求項３２】
前記各横頂部壁部分が互いに連結されていない，請求項３１に記載の構成要素。
【請求項３３】
前記各横頂部壁部分が互いに連結されている，請求項３１に記載の構成要素。
【請求項３４】
前記材料が前記上向き壁部および頂部壁部分上に押し出し成形される，請求項３１ないし３３のいずれかに記載の構成要素。
【請求項３５】
前記材料が上向き壁部および頂部壁部分の全外側表面を実質的に覆う，請求項３４に記載の構成要素。
【請求項３６】
前記各横頂部壁部分が互いに連結され，前記材料が全て横切るように伸長する，請求項３５に記載の構成要素。
【請求項３７】
少なくともひとつのシーラント材または接着剤が，前記材料を介して，各はめ込み窓ガラスを前記上向き壁部に取り付ける際に使用するための，前記上向き壁部上の前記材料の外側表面に適用される，請求項３１ないし３６のいずれかに記載の構成要素。
【請求項３８】
前記材料が乾燥および蒸気遮断の両方の特性をもつ，請求項３１ないし３７のいずれかに記載の構成要素。
【請求項３９】
前記材料が，テープ，発泡体，接着剤，シーラント材，樹脂，金属またはプラスチック材の少なくともひとつからなる，請求項３１ないし３８のいずれかに記載の構成要素。
【請求項４０】
前記材料が前記取り付け構成にわったって適合するように予め形成される，請求項３９に記載の構成要素。
【請求項４１】
前記取り付け構成が，前記上向き壁部の少なくひとつと隣接した前記材料を介して，少なくともひとつのはめ込み窓ガラスを受け入れ，
前記材料が，少なくともひとつの他のはめ込み窓ガラスを受け入れるために，伸長する突出部を有する，
請求項４０に記載の構成要素。
【請求項４２】
前記取り付け構成が二つのはめ込み窓ガラスを受け入れ，前記突出部が少なくとの第三のはめ込み窓ガラスを受け入れる，請求項４１に記載の構成要素。
【請求項４３】
前記各横頂部壁部分が間のスペースにより互いに連結されず，
当該構成要素の一部が前記スペース内へと嵌合する，請求項３１または請求項３４ないし４２のいずれかに記載の構成要素。
【請求項４４】
当該構成要素の前記一部が，前記スペース内にスナップ留めされる，請求項４３に記載の構成要素。
【請求項４５】
当該構成要素が前記取り付け構成に適用するためにロール状となっている，請求項３１ないし４４のいずれかに記載の構成要素。
【請求項４６】
一体のはめ込み窓ガラス取り付け構成を有する多重窓ガラスユニットサッシ組立体のための構成要素であって，
前記取り付け構成が前記サッシ組立体のベース部分から伸長する第一および第二の両側表面をもつ上向き壁部を有し，
当該構成要素が前記上向き壁部の第一の表面に隣接した前記ベース部分に適用される，少なくともひとつの乾燥材料または蒸気遮断材料を含み，
前記上向き壁部の前記第二の表面が第一のはめ込み窓ガラスのための取り付け表面を有し，
当該構成要素が第二のはめ込み窓ガラスのための取り付け表面を有する，
ところの構成要素。
【請求項４７】
前記材料が，テープ，発泡体，接着剤，シーラント材，樹脂，金属またはプラスチック材の少なくともひとつからなる，請求項４６に記載の構成要素。
【請求項４８】
前記材料が前記ベース部分へと押し出し成形される，請求項４６または請求項４７に記載の構成要素。
【請求項４９】
前記材料が乾燥および蒸気遮断の両方の特性をもつ，請求項４６ないし４８のいずれかに記載の構成要素。
【請求項５０】
当該構成要素が，前記第一のはめ込み窓ガラスと，前記第二のはめ込み窓ガラスとの間に一定スペースを維持するための，スペーサとして機能する，請求項４６ないし４９のいずれかに記載の構成要素。
【請求項５１】
前記上向き壁部の前記第一の表面が第三のはめ込み窓ガラスのための取り付け表面を有する，請求項４６ないし５０のいずれかに記載の構成要素。
【請求項５２】
当該構成要素が前記ベース部分および前記第一の表面の少なくともひとつに接着される，請求項４６ないし５１のいずれかに記載の構成要素。
【請求項５３】
当該構成要素が，少なくともひとつの前記ベース部分または前記第一の表面に機械的に適用される，請求項４６ないし５２のいずれかに記載の構成要素。
【請求項５４】
当該構成要素が，少なくともひとつの前記ベース部分または前記第一の表面にスナップ留めされる，請求項５３に記載の構成要素。
【請求項５５】
一体のはめ込み窓ガラス取り付け構成を有する多重窓ガラスユニットサッシ組立体のための構成要素であって，
前記取り付け構成が内部チャネルを有し，
当該構成要素が，前記内部チャネルにスナップ留めまたは圧入される，少なくともひとつの乾燥または蒸気遮断材料を含む，ところの構成要素。
【請求項５６】
当該構成要素が前記材料の連続した細片である，請求項５５に記載の構成要素。
【請求項５７】
前記材料が，前記内部チャネル内に，間隔をあけて配置される複数の別々となったブロックである，請求項５５に記載の構成要素。
【請求項５８】
ペアガラスユニットであって，
a）比較的多孔質な材料からつくられ，第一および第２のガラス支持表面を有するガラス支持部を含む，サッシ部材と，
b）前記サッシ部材の前記支持表面上の，低多孔性コーティングと，
c）前記第一および第二のガラス支持表面を覆う前記コーティングの一部上の，接着剤と，
d）前記第一および第二のガラス支持表面に接着される，一対のガラスライトと，
を含む，ペアガラスユニット。
【請求項５９】
さらに，前記コーティングの表面上に適用される乾燥剤を含む，請求項５８に記載のペアガラスユニット。
【請求項６０】
ペアガラスユニットであって，
a）第一および第二のはめ込みガラス支持表面をもつはめ込みガラス支持部を有するサッシ部材と，
b）前記サッシ部材の前記はめ込みガラス支持表面上の，湿気遮断コーティングと，
c）前記第一および第二のガラス支持表面を覆う前記コーティングの一部上の，接着剤と，
d）前記第一および第二のガラス支持表面に接着される，一対のはめ込みガラスと，
を含む，ペアガラスユニット。
【請求項６１】
前記湿気遮断コーティングがライナーからなる，請求項６０に記載のペアガラスユニット。
【請求項６２】
前記ライナーが前記ガラス支持部に接着して適用される，請求項６１に記載のペアガラス。
【請求項６３】
前記ライナーが接着性テープからなる，請求項６１に記載のペアガラス。
【請求項６４】
一体の多重ガラスサッシを製造する方法であって，
少なくとも第一および第二のはめ込みガラス支持表面をもつはめ込みガラス支持部を有する，長さをもつサッシ輪郭材を用意する工程と，
乾燥および蒸気遮断特性の少なくともひとつを有する要素を前記支持表面に適用する工程と，
前記長さをもつ輪郭材をカットする工程と，
前記カットされた輪郭材から枠材を形成する工程と，
一対のはめ込みガラスを，前記第一および第二のガラス支持表面に接着して取り付ける工程と，
を含む方法。
【請求項６５】
前記要素が接着して適用されるライナーからなる，請求項６４に記載の方法。
【請求項６６】
前記要素が前記支持表面に噴霧される，請求項６４に記載の方法。
【請求項６７】
前記要素が前記カット工程の前に適用される，請求項６４ないし６６のいずれかに記載の方法。
【請求項６８】
前記要素が前記カット工程の後に適用される，請求項６４ないし６６のいずれかに記載の方法。
【請求項６９】
前記要素が前記形成工程の後に適用される，請求項６４ないし６６のいずれかに記載の方法。
【請求項７０】
前記要素は，接着剤，シーラント材，シーラント細片，テープ，押し出し成形体，発泡体，樹脂，噴霧されたコーティング，金属製材料，プラスチック材料の少なくともひとつである，請求項６４ないし６９のいずれかに記載の方法。